(57)【特許請求の範囲】
【請求項１】
外付けのバッテリーが接続手段を介して接続される電子機器の電源装置であって、
前記バッテリーにその電池電圧をＡ／Ｄ変換し且つ前記バッテリーの電池が完全に消耗してしまう前の動作警告電圧を含む動作判別電圧の閾値が記憶された第１の情報処理手段が設けられ、
前記電子機器本体に前記接続手段の端子電圧をＡ／Ｄ変換し且つその動作判別電圧の閾値が記憶された第２の情報処理手段が設けられると共に、
前記接続手段に前記第１の情報処理手段の情報を通信する通信端子が設けられて成り、
前記第１の情報処理手段から前記電池電圧をＡ／Ｄ変換した値とその動作判別電圧の閾値とが送信され、
前記第２の情報処理手段で前記第１の情報処理手段から送信された前記電池電圧をＡ／Ｄ変換した値とその動作判別電圧の閾値とが比較されると共に、
前記第２の情報処理手段で前記端子電圧をＡ／Ｄ変換した値とその動作判別電圧の閾値とが比較され、
前記第２の情報処理手段で前記電池電圧または前記端子電圧がその動作判別電圧の閾値以下になったときを判別する
ことを特徴とする電子機器の電源装置。
【発明の詳細な説明】
【０００１】
【発明の属する技術分野】
本発明は、例えばレコーダー一体型のビデオカメラに使用して好適な電子機器の電源装置に関する。詳しくは接続手段を介して接続される外付けのバッテリーの特性が変更された場合にも、正確に動作警告電圧及び動作終了電圧の判別が行われるようにするものである。
【０００２】
【従来の技術】
例えばレコーダー一体型のビデオカメラにおいては、その電源として例えば充電式の外付けのバッテリーが使用される。その場合にこのような外付けのバッテリーの消耗の状況を電子機器の本体側で判別して、任意の表示手段にバッテリーが完全に消耗してしまう前の動作警告や、バッテリーが消耗して動作が不能になったときの動作終了の表示をすることが行われている。
【０００３】
すなわちこのような装置においては、例えば電子機器の本体側でバッテリー接続手段の電源供給端子の端子電圧を測定すると共に、予め電子機器本体の動作が正常に行えなくなる前の動作警告のための閾値や、動作が正常に行えなくなるときの動作終了の閾値を設定する。そして上述の測定された電圧値とこれらの閾値とを比較して、上述の動作警告や動作終了の表示を行うものである。
【０００４】
【発明が解決しようとする課題】
ところが近年、外付けのバッテリーとして用いられる電池の種類が多様化し、それぞれの電池の種類によっては予め想定される電池とは異なる特性を示すものが出てきた。すなわち例えば上述の動作警告のための閾値は、動作終了の閾値に対して所定の動作時間前になるように電圧差をつけて設定されるが、その間の電圧の変化率が異なると電圧差と時間の関係が一致しないことになる。
【０００５】
これは例えば電圧が徐々に低下して行く特性の電池と、ある程度まで保たれた電圧が最後に急激に低下する特性の電池とでは、動作警告のための閾値だけでなく動作終了の閾値の設定も異なったものになる。しかしながら従来の電子機器の本体側だけで端子電圧を測定するものでは、このような電池の特性の変化には対応することができないものであった。
【０００６】
この出願はこのような点に鑑みて成されたものであって、解決しようとする問題点は、従来の装置では特性の異なる電池の設けられたバッテリーが接続された場合に、バッテリーの消耗前の動作警告や消耗して動作が不能になったときの動作終了の表示を正しく行えなくなってしまう恐れがあったというものである。
【０００７】
【課題を解決するための手段】
このため本発明においては、バッテリーにその電池電圧をＡ／Ｄ変換し且つその動作判別電圧の閾値を記憶する情報処理手段を設け、これらの値を電子機器本体の情報処理手段に送信してこれらの値の比較を行うようにしたものであって、これによれば、特性の異なる電池の設けられたバッテリーが接続されても、そのバッテリーに設けられる電池の特性に合わせた比較が行われて、簡単な手段で容易に正確な判別を行うことができる。
【０００８】
【発明の実施の形態】
すなわち本発明の第１の実施の形態は、外付けのバッテリーが接続手段を介して接続される電子機器の電源装置であって、バッテリーにその電池電圧をＡ／Ｄ変換し且つバッテリーの電池が完全に消耗してしまう前の動作警告電圧を含む動作判別電圧の閾値を記憶する第１の情報処理手段が設けられ、電子機器本体に接続手段の端子電圧をＡ／Ｄ変換し且つその動作判別電圧の閾値を記憶する第２の情報処理手段が設けられると共に、接続手段に第１の情報処理手段の情報を通信する通信端子が設けられて成り、第１の情報処理手段から電池電圧をＡ／Ｄ変換した値とその動作判別電圧の閾値とが送信され、第２の情報処理手段で第１の情報処理手段から送信された電池電圧をＡ／Ｄ変換した値とその動作判別電圧の閾値とが比較されると共に、第２の情報処理手段で端子電圧をＡ／Ｄ変換した値とその動作判別電圧の閾値とが比較され、第２の情報処理手段で電池電圧または端子電圧がその動作判別電圧の閾値以下になったときを判別してなるものである。
【００１０】
【実施例】
以下、図面を参照して本発明を説明するに、図１は本発明を適用した電子機器の電源装置の一例の構成を示すブロック図である。
【００１１】
図１において、外付けのバッテリー１には例えば電池セル１１が設けられる。そしてこの電池セル１１からの電源電圧が電源端子１２に出力される。さらにこの電池セル１１からの電源電圧が情報処理手段としてのマイクロコンピュータ１３のＡ／Ｄ変換手段の内蔵された入力端子に供給される。
【００１２】
そしてこのマイクロコンピュータ１３には、上述のＡ／Ｄ変換された値をストアすると共に、予め設定されたバッテリー（Ｂ）の動作判別電圧（動作警告電圧及びその動作終了電圧）の閾値の記憶されたレジスタ（図示せず）が設けられる。さらにこのマイクロコンピュータ１３と外部とが通信端子１４を通じて接続されるようになされている。
【００１３】
また、レコーダー一体型のビデオカメラ等の電子機器本体２には、上述の電源端子１２に対応する電源端子２１が設けられる。そしてこの電源端子２１に入力される端子電圧が内部の回路２２等に供給される。さらにこの電子機器本体２には、機器の制御を行う情報処理手段としてのマイクロコンピュータ２３が設けられる。そしてこのマイクロコンピュータ２３のＡ／Ｄ変換手段の内蔵された入力端子に、電源端子２１に入力される端子電圧が供給される。
【００１４】
またこのマイクロコンピュータ２３には、上述のＡ／Ｄ変換された値をストアすると共に、予め設定された機器本体（Ｓ）の動作判別電圧（動作警告電圧及びその動作終了電圧）の閾値の記憶されたレジスタ（図示せず）が設けられる。さらにこのマイクロコンピュータ２３と外部とが通信端子２４を通じて接続されるようになされている。
【００１５】
そして上述の電池セル１１から電源端子１２に出力される電源電圧が、電源端子２１を通じて内部の回路２２等に供給される。さらに上述のマイクロコンピュータ１３とマイクロコンピュータ２３とが通信端子１４、２４を通じて互いに接続され、これらの間で通信が行われる。
【００１６】
さらにこの装置において、上述のマイクロコンピュータ１３とマイクロコンピュータ２３には、それぞれ図２のＡ、Ｂに示すような判別のための処理が設けられる。すなわち図２のＡには外付けのバッテリー１に設けられるマイクロコンピュータ１３での処理のフローチャートが示される。また図２のＢには電子機器本体２に設けられるマイクロコンピュータ２３での処理のフローチャートが示される。
【００１７】
図２のＡにおいて、この処理は例えばタイマー手段（図示せず）によって所定の時間ごとに繰り返し起動されるものである。そしてこの処理がスタートされると、ステップ〔１１〕で電子機器本体２への電源供給がされているか否か判断され、供給がされていないとき（Ｎ）はそのまま処理が終了される。
【００１８】
またステップ〔１１〕で供給がされているとき（Ｙ）は、ステップ〔１２〕でＡ／Ｄ変換が起動されて電池セル１１の電源電圧が検出され、ステップ〔１３〕で変換された値Ｖbattがレジスタにストアされる。そしてステップ〔１４〕でレジスタの値Ｖbattと、予め設定されたバッテリー（Ｂ）の動作警告電圧の閾値及びその動作終了電圧の閾値が通信端子１４に送信されて処理が終了される。
【００１９】
一方、図２のＢの処理は、例えば上述のステップ〔１４〕でマイクロコンピュータ１３から通信端子１４に値が送信された値が、通信端子２４からマイクロコンピュータ２３に供給されたことが認識されると、例えば割り込みによってスタートされるものである。
【００２０】
そしてこの処理がスタートされると、まずステップ〔２１〕で通信端子２４に供給されているマイクロコンピュータ１３からの各値が受信されて、それぞれの値が任意のレジスタにストアされる。さらにステップ〔２２〕でＡ／Ｄ変換が起動されて電源端子２１の端子電圧が検出され、ステップ〔２３〕で変換された値Ｖset が任意のレジスタにストアされる。
【００２１】
さらにステップ〔２４〕で任意のレジスタにストアされた値の比較１が行われる。すなわちこの比較１では、
値Ｖbatt＜バッテリー（Ｂ）の動作警告電圧の閾値
値Ｖset ＜機器本体（Ｓ）の動作警告電圧の閾値
が比較される。そして共に否のとき（Ｎ）はそのまま処理が終了される。
【００２２】
またステップ〔２４〕で一方でも正のとき（Ｙ）は、ステップ〔２５〕で任意のレジスタにストアされた値の比較２が行われる。すなわちこの比較２では、
値Ｖbatt＜バッテリー（Ｂ）の動作終了電圧の閾値
値Ｖset ＜機器本体（Ｓ）の動作終了電圧の閾値
が比較される。
【００２３】
そしてこのステップ〔２５〕で共に否のとき（Ｎ）は、ステップ〔２６〕で動作警告電圧であることが判別されて処理が終了される。またステップ〔２５〕で一方でも正のとき（Ｙ）は、ステップ〔２７〕で動作終了電圧であることが判別されて処理が終了される。
【００２４】
これによって例えば電池セル１１からの電源電圧が徐々に低下してバッテリー（Ｂ）の動作警告電圧の閾値に達すると動作警告電圧であることが判別され、任意の表示手段（図示せず）等に動作警告の表示が行われる。さらに電池セル１１の電源電圧が低下してバッテリー（Ｂ）の動作終了電圧の閾値に達すると動作終了電圧であることが判別されて、任意の表示手段（図示せず）等に終了の動作表示が行われる。
【００２５】
また電源端子２１の端子電圧が低下して機器本体（Ｓ）の動作警告電圧の閾値に達すると動作警告電圧であることが判別され、任意の表示手段（図示せず）等に動作警告の表示が行われる。さらに電源端子２１の端子電圧が低下して機器本体（Ｓ）の動作終了電圧の閾値に達すると動作終了電圧であることが判別されて、任意の表示手段（図示せず）等に動作終了の表示が行われる。
【００２６】
そしてこの場合に、電源端子２１の端子電圧の低下だけでなく、例えば電池セル１１からの電源電圧の判別も行われると共に、この判別がバッテリー１側に予め設定されたバッテリー（Ｂ）の動作判別電圧（動作警告電圧及び動作終了電圧）の閾値を用いて行われることによって、例えばバッテリーに設けられる電池の特性に合わせた比較を行うことができ、簡単な手段で容易に正確な判別を行うことができる。
【００２７】
従ってこの装置において、バッテリーにその電池電圧をＡ／Ｄ変換し且つその動作判別電圧の閾値を記憶する情報処理手段を設け、これらの値を電子機器本体の情報処理手段に送信してこれらの値の比較を行うことによって、特性の異なる電池の設けられたバッテリーが接続されても、そのバッテリーに設けられる電池の特性に合わせた比較が行われて、簡単な手段で容易に正確な判別を行うことができる。
【００２８】
これによって、従来の装置では特性の異なる電池の設けられたバッテリーが接続された場合に、バッテリーの消耗前の動作警告や消耗して動作が不能になったときの動作終了の表示を正しく行えなくなってしまう恐れがあったものを、本発明によればこれらの問題点を容易に解消することができるものである。
【００２９】
こうして上述の電子機器の電源装置によれば、外付けのバッテリーが接続手段を介して接続される電子機器の電源装置であって、バッテリーにその電池電圧をＡ／Ｄ変換し且つバッテリーの電池が完全に消耗してしまう前の動作警告電圧を含む動作判別電圧の閾値を記憶する第１の情報処理手段が設けられ、電子機器本体に接続手段の端子電圧をＡ／Ｄ変換し且つその動作判別電圧の閾値を記憶する第２の情報処理手段が設けられると共に、接続手段に第１の情報処理手段の情報を通信する通信端子が設けられて成り、第１の情報処理手段から電池電圧をＡ／Ｄ変換した値とその動作判別電圧の閾値とが送信され、第２の情報処理手段で第１の情報処理手段から送信された電池電圧をＡ／Ｄ変換した値とその動作判別電圧の閾値とが比較されると共に、第２の情報処理手段で端子電圧をＡ／Ｄ変換した値とその動作判別電圧の閾値とが比較され、第２の情報処理手段で電池電圧または端子電圧がその動作判別電圧の閾値以下になったときを判別することにより、バッテリーに設けられる電池の特性に合わせた比較が行われて簡単な手段で容易に正確な判別を行うことができるものである。
【００３０】
なお本発明は、上述の説明した実施の形態に限定されるものではなく、本発明の精神を逸脱することなく種々の変形が可能とされるものである。
【００３１】
【発明の効果】
従って請求項１の発明によれば、バッテリーにその電池電圧をＡ／Ｄ変換すると共にバッテリーの電池が完全に消耗してしまう前の動作警告電圧を含む動作判別電圧の閾値を記憶する情報処理手段を設け、これらの値を電子機器本体の情報処理手段に送信してこれらの値の比較を行うことによって、特性の異なる電池の設けられたバッテリーが接続されても、そのバッテリーに設けられる電池の特性に合わせた比較が行われて、簡単な手段で容易に正確な判別を行うことができるものである。
【００３２】
これによって、従来の装置では特性の異なる電池の設けられたバッテリーが接続された場合に、バッテリーの消耗前の動作警告や消耗して動作が不能になったときの動作終了の表示を正しく行えなくなってしまう恐れがあったものを、本発明によればこれらの問題点を容易に解消することができるものである。
【図面の簡単な説明】
【図１】本発明の適用される電子機器の電源装置の一例の構成図である。
【図２】その動作の説明のためのフローチャート図である。
【符号の説明】
１…外付けのバッテリー、２…電子機器本体、１１…電池セル、１２，２１…電源端子、１３，２３…情報処理手段としてのマイクロコンピュータ、１４，２４…通信端子、２２…内部の回路
【図１】
0004029479.tif 000002
【図２】
0004029479.tif 000003